(57)【特許請求の範囲】
【請求項１】
画像表示ユニットと、前記画像表示ユニットの画像を拡大するレンズと、前記レンズを固定するとともに視度調整のためのカム部を形成したレンズ支持部材と、前記カム部に嵌合するカムフォロワ部を形成した視度調整つまみと、前記レンズ支持部材および視度調整つまみを保持する視度部保持部材とを具備し、前記視度部保持部材の一部と前記レンズ支持部材の一部とを互いに嵌合させることによって成す視度案内部に沿って前記レンズが光軸方向に移動することにより使用者の視力に合わせて視度調整できるＥＶＦ視度調整機構であって、前記視度調整つまみに形成した溝部に嵌合し、所定の負荷を与える凸部を形成したトルク発生部材を備えたことを特徴とするＥＶＦ視度調整機構。
【発明の詳細な説明】
【０００１】
【発明の属する技術分野】
本発明は、ビデオカメラ等などに使用するエレクトリック・ビュー・ファインダー（以下、ＥＶＦと記す）に利用して有効なＥＶＦ視度調整機構に関するものである。
【０００２】
【従来の技術】
近年、ビデオカメラにおいては小型化の要求が大きく、中でも所定の光学経路を確保するために小型化が困難なＥＶＦユニットについても、小型化の要求が高い。この中で、使用者の視力に合わせて焦点合わせを行う視度調整機構の小型化と操作性も重要な課題となっている。以下に従来のＥＶＦ視度調整機構について説明する。
【０００３】
図８は、従来のＥＶＦ視度調整機構の分解斜視図を示したものである。図９から図１０は、従来のＥＶＦ視度調整機構を含むＥＶＦユニットの分解斜視図を示したものである。図１１はレンズ支持部材近傍を下面から見た一部下面図である。図１２は視度案内部の部分断面図である。
【０００４】
図において、視度部保持部材である視度調整ケース１には、視度調整つまみ２の先端部２ａが挿入される開口部１ａを形成し、内側面には視度案内部である案内溝１ｂを形成している。視度調整つまみ２の一端には、レンズ７を固定したレンズ支持部材であるレンズホルダー６の下面に形成した視度調整のためのカム部であるカム溝６ｃと嵌合するカムフォロワ部２ｂを形成している。視度調整つまみ２を視度調整ケース１に取り付ける樹脂製の押さえ板４には、視度調整つまみ２のカムフォロワ部２ｂを挿入するフォロワー開口部４ｂを形成している。視度調整つまみ２は視度調整ケース１と押さえ板４に挟まれ、視度調整ケース１と押さえ板４をビス５で固定することにより、視度調整つまみ２がフォロワー開口部４ｂの範囲だけ移動可能に保持される。
【０００５】
レンズホルダー６の側面には、視度案内部である案内リブ６ｂを形成している。レンズホルダー６は視度調整ケース１に挿入されている。案内リブ６ｂおよび視度調整ケース１の案内溝１ｂの断面形状は図１２に示すように角度βの斜面を２面有する台形を成しており、それぞれの斜面において当接している。アイキャップ８は視度調整ケース１に嵌合して取り付けられている。このようにして、ＥＶＦ視度調整機構１１が構成されている。画像表示ユニット１２はＥＶＦケース上１３とＥＶＦケース下１４に挟まれて収納されている。ＥＶＦケース上１３とＥＶＦケース下１４はケース固定ビス１０で固定されている。固定されたケースに、前記ＥＶＦ視度調整機構１１が挿入され、視度調整ケース１に形成された着脱ばね部１ｅと固定されたケースの内側に形成した嵌合部（図示せず）が嵌合し、着脱可能に固定される。最終的に、ＥＶＦ視度調整機構１１とＥＶＦケース下１４は調整機構固定ビス１５にて確実に固定され、ＥＶＦユニットの組み立てが完了する。
【０００６】
以上のように構成された従来のＥＶＦ視度調整機構について、図８から図１２を用いて、その動作を説明する。
【０００７】
視度調整つまみ２を動かすと、カムフォロワ部２ｂがレンズホルダー６のカム溝を押すことにより、視度案内部に沿ってレンズホルダー６が移動して、レンズ７が使用者の視力にあわせた位置になるように視度調整される。
【０００８】
このとき、適度なつまみ操作力を与え、かつ使用者が調整した位置に保持しておく必要がある。
【０００９】
案内リブ６ｂおよび視度調整ケース１の案内溝１ｂの断面形状は図１２に示すように台形を成しており、それぞれの斜面において当接している。このため、図１１に示すように操作力Ｆに対して当接斜面での垂直抗力Ｎ＝（Ｆ／ｓｉｎβ）となり、角度βが小さいと、わずかなＦを与えても垂直抗力Ｎが増大する。摩擦負荷ｆは摩擦係数μのときｆ＝μ＊Ｎで発生するので、このような、「くさび効果」により、視度案内部において十分な摩擦負荷ｆを与えることができる。この摩擦負荷ｆにより、使用者が調整した位置に保持しておくことができ、かつ適度なつまみ操作力Ｆを与えることができる。
【００１０】
【発明が解決しようとする課題】
しかしながら上記従来の構成では、つまみ操作時に視度案内部である案内リブ６ｂや案内溝１ｂの当接面での摩擦係数μが環境変化などの原因でわずかに増加すると、片側の案内リブ６ｂにおける摩擦負荷ｆが増大して動かなくなり、更に視度調整つまみ２を動かすとレンズホルダー６が傾いてしまう。よって、両側面の案内リブ６ｂと案内溝１ｂがさらに斜面に押し付けられて摩擦力ｆが更に急激に増大し、操作力Ｆが不安定となったり、視度調整つまみ２を押せば押すほど動かなくなってしまうという問題があった。
【００１１】
これを解決する方法としては、図１１に示す左右の視度案内部間の距離Ａに対する視度案内部の長さＢを十分長く取ればよいが、そのために小型化できないという課題を有していた。
【００１２】
本発明は前記課題を解決するもので、安定した操作力を維持しながら小型なＥＶＦ視度調整機構を提供することを目的とする。
【００１３】
【課題を解決するための手段】
この目的を達成するために本発明のＥＶＦ視度調整機構は、レンズを固定するとともに視度調整のためのカム部を形成したレンズ支持部材と、前記カム部に嵌合するカムフォロワ部を形成した視度調整つまみと、前記レンズ支持部材および視度調整つまみを保持する視度部保持部材とを具備し、この視度部保持部材の一部と、前記レンズ支持部材の一部とを互いに嵌合させることによって成す視度案内部に沿って前記レンズが光軸方向に移動することにより使用者の視力に合わせて視度調整できるＥＶＦ視度調整機構であって、前記視度調整つまみに形成した溝部に嵌合し、所定の負荷を与える凸部を形成したトルク発生部材を備えたことを特徴とする構成を有している。
【００１４】
この構成によって、安定した操作力を維持しながら小型なＥＶＦ視度調整機構を提供することを目的とする。
【００１５】
【発明の実施の形態】
本発明の請求項１に記載の発明は、レンズを固定するとともに視度調整のためのカム部を形成したレンズ支持部材と、前記カム部に嵌合するカムフォロワ部を形成した視度調整つまみと、前記レンズ支持部材および視度調整つまみを保持する視度部保持部材とを具備し、この視度部保持部材の一部と、前記レンズ支持部材の一部とを互いに嵌合させることによって成す視度案内部に沿って前記レンズが光軸方向に移動することにより使用者の視力に合わせて視度調整できるＥＶＦ視度調整機構であって、前記視度調整つまみに形成した溝部に嵌合し、所定の負荷を与える凸部を形成したトルク発生部材を備えたことを特徴とする構成を有しており、この構成によって、必要な負荷を視度調整つまみだけに与えることができるので、視度案内部において摩擦力を発生させる必要が無い。このため左右２個所の視度案内部間の距離Ａに対する視度案内部の長さＢを長く取る必要が無くなるので、安定した操作力を維持しながら小型なＥＶＦ視度調整機構を提供できるという作用を有する。
【００１６】
以下、本発明の実施の形態について、図１から図７を用いて説明する。
【００１７】
（実施の形態１）
図１から図２は本発明の実施の形態１のＥＶＦ視度調整機構の分解斜視図を示したものである。図３は本発明の実施の形態１のＥＶＦ視度調整機構を含むＥＶＦユニットの分解斜視図を示したものである。図４から図５は本発明の実施の形態１のＥＶＦ視度調整機構の側断図を示したものである。図６は本発明の実施の形態１のＥＶＦ視度調整機構の一部下面図である。図７は本発明の実施の形態１のＥＶＦ視度調整機構の視度案内部の部分断面図を示したものである。
【００１８】
図において、視度部保持部材である視度調整ケース１０１には、視度調整つまみ１０２の先端部１０２ａが挿入される開口部１０１ａを形成し、内側面には視度案内部である案内溝１０１ｂを形成している。レンズ１０７を固定するレンズ支持部材であるレンズホルダー１０６にはレンズ嵌合爪１０６ａを形成している。レンズ１０７には嵌合リブ１０７ａを形成しており、これをレンズ嵌合爪１０６ａと嵌合させて固定している。視度調整つまみ１０２の一端には、レンズホルダー１０６の下面に形成した視度調整のためのカム部であるカム溝１０６ｃと嵌合するカムフォロワ部１０２ｂを形成している。
【００１９】
視度調整つまみ１０２を視度調整ケース１０１に取り付ける押さえ板１０４は薄いばね用ステンレス板を使用し、これには視度調整つまみ１０２のカムフォロワ部１０２ｂを挿入するフォロワー開口部１０４ｂを形成している。トルク発生部材であるトルクピース１０３には所定の負荷を与える凸部１０３ｃを形成している。
【００２０】
一方、視度調整つまみ１０２には凸部１０３ｃに嵌合する溝部１０２ｃを形成している。トルクピース１０３の両端には、押さえ板１０４に形成したピース嵌合穴１０４ｃに嵌合する嵌合凸部１０３ａを形成している。トルクピース１０３は、この嵌合凸部１０３ａがピース嵌合穴１０４ｃに嵌合することであらかじめ押さえ板１０４に保持される。視度調整つまみ１０２とトルクピース１０３は視度調整ケース１０１と押さえ板１０４に挟まれ、視度調整ケース１０１と押さえ板１０４をビス１０５で固定することにより視度調整つまみ１０２はフォロワー開口部１０４ｂの範囲だけ移動可能に保持される。
【００２１】
押さえ板１０４には、トルクピース１０３に形成したばね当接部１０３ｂに当接し、トルクピース１０３を視度調整つまみ１０２に押し付ける負荷を与えるばね部１０４ａを形成している。嵌合凸部１０３ａおよび溝部１０２ｃの断面形状は図４、図５に示すように台形を成しており、その斜面において前記ばね部１０４ａにて付勢されながら当接している。レンズホルダー１０６の側面には、視度案内部である案内リブ１０６ｂを形成している。
【００２２】
レンズホルダー１０６は視度調整ケース１０１に挿入される。案内リブ１０６ｂおよび視度調整ケース１０１の案内溝１０１ｂの断面形状は図７に示すように矩形を成しており、端面において当接している。シリコンゴム製のアイキャップ１０８は、ばね用ステンレス板で構成したアイキャップ金具１０９にインサート成形にて固着している。アイキャップ金具１０９には嵌合曲げ部１０９ａを形成している。
【００２３】
アイキャップ１０８は嵌合曲げ部１０９ａを視度調整ケース１０１に形成した嵌合穴１０１ｄに嵌合させると共に、アイキャップビス１１０で固定する。このようにして、ＥＶＦ視度調整機構１１１を構成している。画像表示ユニット１１２は、先ずＥＶＦケース下１１４に形成した仮固定爪１１４ｂに係合して仮固定され、その後ＥＶＦケース上１１３を被せて収納される。ＥＶＦケース下１１４とＥＶＦケース上１１３は、ケース嵌合穴部１１３ａとケース嵌合爪部１１４ａが嵌合して仮固定される。ＥＶＦケース上１１３とＥＶＦケース下１１４にはそれぞれ嵌合リブ上１１３ｃおよび嵌合リブ下１１４ｃを形成している。
【００２４】
一方、視度調整ケース１０１にはケース嵌合溝１０１ｃを形成している。固定されたケースに、前記ＥＶＦ視度調整機構１１１を挿入すると、嵌合リブ上１１３ｃおよび嵌合リブ下１１４ｃがケース嵌合溝１０１ｃに嵌合し、この部分でもＥＶＦケース上１１３とＥＶＦケース下１１４が固定される。ＥＶＦ視度調整機構１１１を奥まで挿入すると、視度調整ケース１０１に形成された着脱ばね部１０１ｇと固定されたＥＶＦケース上１１３の内側に形成した貫通孔１１３ｂが嵌合し、ＥＶＦユニットの組み立てが完了する。
【００２５】
以上のように構成された本実施の形態のＥＶＦ視度調整機構について、図１から図７を用いて、その動作を説明する。
【００２６】
視度調整つまみ１０２を動かすと、カムフォロワ部１０２ｂがレンズホルダー１０６のカム溝１０６ｃを押すことにより、視度案内部に沿ってレンズホルダー１０６が移動して、レンズ１０７が使用者の視力にあわせた位置になるように視度調整される。
【００２７】
トルクピース１０３の凸部１０３ｃおよび視度調整つまみ１０２の溝部１０２ｃの斜面において、ばね部１０４ａにて付勢されながら当接していることによって、「くさび効果」により大きな摩擦負荷が発生するので、弱いばね圧でも視度調整つまみ１０２に必要な所定の負荷を与えることができる。
【００２８】
この負荷で適度なつまみ操作力を与え、かつ使用者が調整した位置に保持しておくことができる。
【００２９】
一方、案内リブ１０６ｂおよび視度調整ケース１０１の案内溝１０１ｂの断面形状は図７に示すように矩形を成しており、端面において当接しているので、摩擦負荷ｆはｆ＝μ＊Ｆとなり、前述の従来技術のようなくさび効果は無い。このため、環境変化等により摩擦係数μがわずかに変化しても摩擦負荷ｆが異常に大きくなることは無い。
【００３０】
また、従来は厚い樹脂で構成していた押さえ板１０４に薄いばね用ステンレス板を使用することで、トルクピース１０３の追加によるＥＶＦ視度調整機構の高さの増加を抑えることもできる。
【００３１】
以上のように本実施の形態では、視度調整つまみ１０２に形成した溝部１０２ｃに嵌合し、所定の負荷を与える凸部１０３ｃを形成したトルクピース１０３を備えたことにより、必要な負荷を視度調整つまみ１０２だけに与えることができるので、視度案内部において摩擦力を発生させる必要が無い。このため左右２個所の視度案内部間の距離Ａに対する視度案内部の長さＢを長く取る必要が無くなるので、安定した操作力を維持しながら小型なＥＶＦ視度調整機構を構成することができる。
【００３２】
なお、本実施の形態において、押さえ板１０４に薄いばね用ステンレス板を使用したが、材料は必ずしもばね用ステンレス板でなくてよい。
【００３３】
またアイキャップ１０８は、シリコンゴムにばね用ステンレス板製のアイキャップ金具１０９をインサート成形にて固着して構成したが、必ずしもこのような構成でなくても構わない。
【００３４】
【発明の効果】
以上のように本発明は、視度調整つまみに形成した溝部に嵌合し、所定の負荷を与える凸部を形成したトルク発生部材を備えたことにより、必要な負荷を視度調整つまみだけに与えることができるので、視度案内部において摩擦力を発生させる必要が無い。このため左右２個所の視度案内部間の距離Ａに対する視度案内部の長さＢを長く取る必要が無くなるので、安定した操作力を維持しながら小型なＥＶＦ視度調整機構を構成することができる。
【図面の簡単な説明】
【図１】本発明の実施の形態１のＥＶＦ視度調整機構の分解斜視図
【図２】本発明の実施の形態１のＥＶＦ視度調整機構の分解斜視図
【図３】本発明の実施の形態１のＥＶＦ視度調整機構を含むＥＶＦユニットの分解斜視図
【図４】本発明の実施の形態１のＥＶＦ視度調整機構の側断図（遠視側）
【図５】本発明の実施の形態１のＥＶＦ視度調整機構の側断図（近視側）
【図６】本発明の実施の形態１のＥＶＦ視度調整機構の一部下面図
【図７】本発明の実施の形態１のＥＶＦ視度調整機構の視度案内部の部分断面図
【図８】従来のＥＶＦ視度調整機構の分解斜視図
【図９】従来のＥＶＦ視度調整機構を含むＥＶＦユニットの分解斜視図
【図１０】従来のＥＶＦ視度調整機構を含むＥＶＦユニットの分解斜視図
【図１１】従来のＥＶＦ視度調整機構の一部下面図
【図１２】従来のＥＶＦ視度調整機構の視度案内部の部分断面図
【符号の説明】
１０１  視度調整ケース
１０２  視度調整つまみ
１０３  トルクピース
１０４  押さえ板
１０５  ビス
１０６  レンズホルダー
１０７  レンズ
１０８  アイキャップ
１０９  アイキャップ金具
１１０  アイキャップビス
１１１  視度調整機構
１１２  画像表示ユニット
１１３  ＥＶＦケース上
１１４  ＥＶＦケース下
【図１】
0004144145.tif 000002
【図２】
0004144145.tif 000003
【図３】
0004144145.tif 000004
【図４】
0004144145.tif 000005
【図５】
0004144145.tif 000006
【図６】
0004144145.tif 000007
【図７】
0004144145.tif 000008
【図８】
0004144145.tif 000009
【図９】
0004144145.tif 000010
【図１０】
0004144145.tif 000011
【図１１】
0004144145.tif 000012
【図１２】
0004144145.tif 000013